(57)【特許請求の範囲】
【請求項１】
本体キャビネットの前面開口を開閉するための外扉を備えた自動販売機であって、該自動販売機の設定・確認操作用のリモコンを内部に備えた自動販売機において、前記外扉が開放状態から閉じた状態になった時点から所定時間の間は、前記リモコン操作を有効とし、前記外扉が閉じた状態にてリモコン操作を有効から無効に切り替える条件として、リモコンを操作しない状態が所定時間経過すると前記リモコン操作を無効とすることを特徴とする自動販売機。
【請求項２】
請求項１に記載の自動販売機において、前記リモコン操作を無効にした状態で、リモコンを操作すると、警報を出力することを特徴とする自動販売機。
【発明の詳細な説明】
【技術分野】
【０００１】
本発明は、内部にリモコンを搭載し、このリモコンを操作して、各種設定、各種確認作業などが行える自動販売機の改良に関する。
【背景技術】
【０００２】
従来、リモコンの操作の中で例えば、商品の払い出しを行うテスト販売は、作業員によって以下の手順で行われている。
【０００３】
すなわち、リモコンは、自動販売機の外扉の裏面側に取り付けられており、このリモコンは、コードにより制御部に接続されている。
【０００４】
このリモコンを自動販売機の外扉前面側にコードを延ばして引っ張り出し、外扉を閉じた状態で、リモコンのテストキーを操作することにより、商品のテスト販売モードとなり、商品払い出し可能のコラムに対応する商品選択ボタンの販売可能ランプが点灯する。
【０００５】
ここで、販売可能ランプが点灯している商品選択ボタンを操作すると、商品を搬出する。
【０００６】
このテスト販売は、選択ボタンより商品を１個ずつ正常に販売されるかテストするものである。
【０００７】
また、この他に、連続テスト販売モードもあり、商品入れ替え時に収納されている商品を全て払い出すためのモードである（例えば、特許文献１参照）。
【先行技術文献】
【特許文献】
【０００８】
【特許文献１】特開２０１０−４９４４１号公報
【発明の概要】
【発明が解決しようとする課題】
【０００９】
上記構成において、例えば、作業員が作業終了後、リモコンを自動販売機内部に収納することは忘れて、リモコンを外部に取出した状態のまま場合、また、悪戯により何らかの方法でリモコンを外部に取出した場合、電源が通電されている以上、リモコンが操作できてしまうことになる。
【００１０】
このように、リモコンが外部に取出された状態にあり、このリモコンを使用してテスト販売を行えば、収納されている商品が只取りされてしまう可能性があるため、早急に対策が望まれている。
【００１１】
そこで、本発明は、上記課題に鑑みてなされたものであって、外扉を閉じた状態でのリモコンの操作に制限を設ける自動販売機を提供することを目的とする。
【課題を解決するための手段】
【００１２】
上記目的を達成するために、本発明の自動販売機は、以下の手段により構成されるものである。
（１）本体キャビネットの前面開口を開閉するための外扉を備えた自動販売機であって、該自動販売機の設定・確認操作用のリモコンを内部に備えた自動販売機において、前記外扉が閉じた状態では、前記リモコンの操作を無効とすることを特徴とする。
（２）本体キャビネットの前面開口を開閉するための外扉を備えた自動販売機であって、該自動販売機の設定・確認操作用のリモコンを内部に備えた自動販売機において、前記外扉が開放状態から閉じた状態になった時点から所定時間の間は、前記リモコン操作を有効とすることを特徴とする。
（３）本体キャビネットの前面開口を開閉するための外扉を備えた自動販売機であって、該自動販売機の設定・確認操作用のリモコンを内部に備えた自動販売機において、前記リモコン操作中に、前記外扉が開放状態から閉じた状態になった場合には、前記リモコン操作をそのまま有効とすることを特徴とする。
（４）記外扉が閉じた状態にてリモコン操作を有効から無効に切り替える条件として、自動販売機前面に備える返却レバーを操作することにより前記リモコン操作を無効とすることを特徴とする。
（５）前記外扉が閉じた状態にてリモコン操作を有効から無効に切り替える条件として、リモコンを操作しない状態が所定時間経過すると前記リモコン操作を無効とすることを特徴とする。
（６）前記外扉が閉じた状態にてリモコン操作を有効から無効に切り替える条件として、前記外扉が閉じた時点から所定時間経過すると前記リモコン操作を無効とすることを特徴とする。
（７）前記外扉が閉じた状態におけるリモコン操作を有効とする項目を設定できることを特徴とする。
（８）前記リモコン操作を無効にした状態で、リモコンを操作すると、警報を出力することを特徴とする。
【発明の効果】
【００１３】
本発明は、自動販売機において、外扉を閉じた状態でのリモコン操作を無効とすることにより、外扉の前面にリモコンが取出されて、悪戯をされるという行為を未然に防止することができる。
【００１４】
また、作業によっては、外扉を閉じた状態でリモコンを操作するほうが作業性の効率が良い場合があり、外扉を閉じた状態でも、リモコンの操作を有効とするが、所定操作あるいは未操作状態が所定時間経過すると、リモコンの操作を無効に切り替えることにより、作業終了後、リモコンを内部に収納し忘れたとしても、悪戯を防止できる。
【図面の簡単な説明】
【００１５】
【図１】本発明の対象となる自動販売機を示す概略正面図である。
【図２】本発明の対象となる自動販売機を示す概略斜視図である。
【図３】本発明の実施形態にかかる自動販売の構成を示すブロック図である。
【図４】本発明の第１の実施形態を示すフローチャート図である。
【図５】本発明の第２の実施形態を示すフローチャート図である。
【図６】本発明の第３の実施形態を示すフローチャート図である。
【発明を実施するための形態】
【００１６】
以下に添付図面を参照しながら、本発明に係る自動販売機の実施の形態について説明する。
【００１７】
図１は概略正面図、図２は外扉を開放した状態における概略斜視図である。
【００１８】
ここで例示する自動販売機１は、缶入り飲料やペットボトル入り飲料、ビン入り飲料、缶ボトル入り飲料等の商品を冷却、もしくは加熱した状態で販売するためのもので、本体キャビネット１０を備えている。本体キャビネット１０は、複数の鋼板を組み合わせることによって構成したもので、前面が開口した箱状を成している。
【００１９】
本体キャビネット１０の内部には、内箱２０が設けてある。内箱２０は、本体キャビネット１０と同様に、複数の鋼板を組み合わせることにより、前面が開口した箱状に構成したものである。図には明示していないが、本体キャビネット１０と内箱２０との間には、内箱２０の内部を断熱構造とするために断熱材が充填してある。
【００２０】
内箱２０の内部には、複数の収容室２１が設けてある。複数の収容室２１は、内箱２０の内部に断熱仕切壁２２を設けることによって構成したもので、互いに熱的に独立している。各収容室２１の下方部には、シュータ２３が設けてある。シュータ２３は、商品収納ラック３０から払い出された商品を案内するためのもので、手前側に向けて下方に傾斜している。図には明示していないが、収容室２１の内部においてシュータ２３より下方となる領域には、内部を所望の温度に維持するための冷却ユニットや加熱ユニットが設けてある。
【００２１】
また、上記自動販売機１には、本体キャビネット１０の一側縁部に内扉４０及び外扉５０を保持させてある。内扉４０は、収容室２１の前面開口を開閉するためのもので、中空の鋼板パネルに断熱材を充填する等、断熱機能を有するように構成してある。外扉５０は、本体キャビネット１０の前面開口を開閉するためのものである。
【００２２】
外扉５０の前面には、上部に商品見本展示室５１と、該展示室５１内に配置される複数の商品見本５２と、該商品見本５２に対応して設けられる販売可能ランプおよび売切ランプを備える商品選択ボタン５３と、紙幣を挿入する紙幣挿入口５４と、硬貨を投入する硬貨投入口５５と、投入貨幣を返却する返却レバー５６と、釣銭などを返却する硬貨返却口５５ａと、投入金額表示を行う金額表示を含む一体表示器５７と、シュータ２３によって案内された商品を取り出すための商品取出口５８と、シリンダー錠付きのハンドル５９とが設けてある。
【００２３】
また、外扉５０の裏面側には、メインコントロールボックス１０１、各種設定・確認操作用のリモコン１０２、硬貨投入口５５から投入された硬貨の真偽、種類などを選別し、計数および釣銭を払い出す硬貨処理装置１０３、紙幣挿入口５４から挿入された紙幣の真偽、種類などを識別する紙幣識別装置１０４などが配置され、リモコン１０２、硬貨処理装置１０３、紙幣識別装置１０４は、それぞれコードにてメインコントールボックス１０１に接続されている。
【００２４】
なお、メインコントールボックス１０１とリモコン１０２とを接続するコードは、リモコン１０２を外扉５０の前面に取り出せて操作できる程度の長さになっている。
【００２５】
さらに、外扉５０には、外扉の開閉を検知するためのドアスイッチ５０ａが設けられている。
【００２６】
次に、図３は、本発明の実施例を示すブロック図であり、メインコントロールボックス１００内には、自動販売機全体を制御する主制御部１０１、制御プログラムを記憶するメモリ１０１a、自動販売機の動作に係る設定データを含む各種データを記憶するメモリ１０１ｂ、外扉５０が閉じられてからの時間、リモコンの未操作時間など計測するタイマ１０１ｃなどを備える。
【００２７】
このメインコントロールボックス１００には、各種設定・確認操作を行うためのリモコン１０２、硬貨投入口５５から投入された硬貨の真偽、種類などを選別し、計数および釣銭を払い出す硬貨処理装置１０３、紙幣挿入口５４から挿入された紙幣の真偽、種類などを識別する紙幣識別装置１０４、冷却機およびヒータなどからなる冷熱装置１０５，商品を搬出する商品搬出装置１０６を制御する本体制御部１０７、販売可能ランプ５３ａおよび売切ランプ５３ｂを備える商品選択ボタン５３、一体表示器５７、ドアスイッチ５０ａがそれぞれ接続されている。
【００２８】
このドアスイッチ５０ａは、外扉５０が閉移動して本体キャビネット１０の前面開口が閉じられた場合にオフ状態となる一方、外扉５０が開移動して本体キャビネット１０の前面開口が開放された場合にオン状態となる。
【００２９】
この構成において、図４のフローチャート図を用い、第１の実施形態について、その制御動作を説明する。
【００３０】
まず、外扉５０が開放状態であるかを判断し（ステップＳ０１）、ドアスイッチ５０ａがオフで、外扉５０が閉じた状態の場合には（ステップＳ０１，Ｎｏ）、リモコン１０２の操作を不可（無効）とする（ステップＳ０２）。
【００３１】
一方、ドアスイッチ５０ａがオンで、外扉５０が開放状態の場合には（ステップＳ０１，Ｙｅｓ）、リモコン１０２の操作を可（有効）とする（ステップＳ０３）。
【００３２】
このように、外扉５０が閉じた状態の場合には、リモコンの１０２の操作を不可（無効）することにより、外扉５０の前面にリモコン１０２が取り出された状態で放置されていた場合であっても、リモコン１０２を使用した悪戯を防止することができる。
【００３３】
次に、図５のフローチャート図を用いて、第２の実施形態について、その制御動作を説明する。
【００３４】
まず、外扉５０が開放状態から閉状態に変化したかを判断する（ステップＳ１１）。
【００３５】
ここで、ドアスイッチ５０ａがオンからオフになると、外扉５０が開放状態から閉状態に変化したと判断して（ステップＳ１１，Ｙｅｓ）、３０秒セットし、タイマ１０１ｃをスタートさせる（ステップＳ１２）。
【００３６】
この後、返却レバー５６が操作されたかを判断し（ステップＳ１３）、返却レバー５６が操作されれば（ステップＳ１３，ＹＥＳ）、３０秒を経過していなくても、タイマ１０１ｃのカウントをクリアして（ステップＳ１６）、以降のリモコン１０２の操作を不可（無効）とする（ステップＳ１７）。
【００３７】
次に、ステップＳ１３にて、返却レバー５６が操作されていなければ（ステップＳ１３，Ｎｏ）、リモコン１０２が操作されたか否かを判断する（ステップＳ１４）。このリモコン１０２が操作されないまま（ステップＳ１４，Ｎｏ）、「３０秒」経過すると(ステップＳ１５，Ｙｅｓ）、タイマ１０１ｃがタイムアップしてクリアとなり（ステップＳ１６）、以降のリモコン１０２の操作を不可（無効）とする（ステップＳ１７）。
【００３８】
次に、ステップＳ１４にて、リモコン１０２を外扉５０が閉じた状態で、外扉５０の前面に取り出し、リモコン１０２が操作されれば（ステップＳ１４，Ｙｅｓ）、ステップＳ１２に戻り、３０秒セットし、タイマ１０１ｃをスタートさせる。
【００３９】
その後、上記したように、返却レバー５６の操作（ステップＳ１３）あるいはタイマ１０１ｃがタイムアップするまでの間、リモコン１０２が操作されなければ（ステップＳ１５）、タイマ１０１ｃがタイムアップしてクリアとなり（ステップＳ１６）、以降におけるリモコン１０２の操作を不可（無効）とする（ステップＳ１７）。
【００４０】
このように、外扉５０を閉じてから、３０秒以内であれば、リモコン１０２の操作を外扉５０の前面に取り出して可能（有効）とするものであるが、返却レバー５６の操作、リモコン１０２の最終操作から３０秒が経過のいずれかひとつの処理にてリモコン１０２の操作を不可（無効）とするため、外扉５０の前面にリモコン１０２が取り出された状態で放置されていた場合であっても、リモコン１０２を使用した悪戯を未然に防止することができる。
【００４１】
次に、図６のフローチャート図を用いて、第３の実施形態について、その制御動作を説明する。
【００４２】
まず、ドアスイッチ５０ａがオンで、外扉５０が開放状態のときに（ステップＳ２１，Ｙｅｓ）、リモコン１０２を操作中であるか判断する（ステップＳ２２）。
【００４３】
このリモコン１０２の操作中とは、実際のキー操作のみならず、何らかの設定・確認モードに入っている状態も含むものである。
【００４４】
このリモコン１０２を操作中のまま（ステップＳ２２，Ｙｅｓ）、外扉５０が開放状態から閉状態に変化したかを判断する（ステップＳ２３）。
【００４５】
ここで、ドアスイッチ５０ａがオンからオフになると、外扉５０が開状態から閉状態に変化したと判断し（ステップＳ２３，Ｙｅｓ）、リモコン１０２は、外扉５０の前面に取り出したまま操作可能となる（ステップＳ２４）。
【００４６】
一方、リモコン１０２の未操作中に（ステップＳ２２，Ｎｏ）、外扉５０を閉じると、ドアスイッチ５０ａがオンからオフになり、外扉５０が開状態から閉状態に変化したと判断し（ステップＳ３０，Ｙｅｓ）、その後、外扉５０の前面にリモコン１０２を取り出して操作しても、その操作を不可（無効）とする（ステップＳ３２）。
【００４７】
次に、ステップＳ２４で、リモコン１０２の操作可能状態において、その後、リモコン１０２の終了キーが押されるか（ステップＳ２５，Ｙｅｓ）、あるいは、返却レバー５６の操作が行われると（ステップＳ２６，Ｙｅｓ）、リモコン１０２の操作を不可とする（ステップＳ３１）。
【００４８】
一方、終了キーが操作されず（ステップＳ２５，Ｎｏ）、返却レバー５６も操作されない状態で（ステップＳ２６，Ｎｏ）、リモコン１０２を操作しない状態となると（ステップＳ２７，Ｙｅｓ）、その時点からタイマ１０１ｃをスタートさせ（ステップＳ２８）、「３０秒」経過するまでに（ステップＳ２９，Ｎｏ）、リモコン１０２が操作されたかを判断する。
【００４９】
このリモコン１０２が操作されないまま、「３０秒」経過すると(ステップＳ２９，Ｙｅｓ）タイマ１０１ｃがタイムアップしてクリアとなり（ステップＳ３１）、以降のリモコン１０２の操作を不可（無効）とする（ステップＳ３２）。
【００５０】
このように、リモコン１０２を操作中であれば、外扉５０を閉じても、そのままリモコン１０２は操作可（有効）するものであるが、リモコン１０２の終了キーの操作、返却レバー５６の操作、リモコン１０２の最終操作から３０秒が経過のいずれかひとつの処理にてリモコン１０２の操作を不可（無効）とするため、外扉５０の前面にリモコン１０２が取り出された状態で放置されていた場合であっても、リモコン１０２を使用した悪戯を未然に防止することができる。
【００５１】
その他、変形例としては、以下の構成が考えられる。
【００５２】
第２の実施形態では、外扉５０を閉じてから３０秒以内にリモコン１０２を操作すれば、操作可能であるが、その外扉５０を閉じて行う操作としては、外扉５０を閉じて操作した方が良い作業のみに設定することも可能であり、例えば、リモコン１０２を使用してテスト販売モードとし、商品選択ボタン５３を使用したテスト販売などが考えられ、作業が効率的に行える。
【００５３】
また、返却レバー５６を操作すると、リモコン１０２の操作を直ぐに不可としているが、この場合でも、所定時間（例えば、３０秒間）の間に再操作可能とすることにより、作業員の誤操作によりリモコン１０２の操作を不可とした場合であっても、外扉５０を開放することなく、リモコン１０２の操作に復帰可能となり、作業効率が向上する。
【００５４】
次に、第３の実施形態では、リモコン１０２の終了キー、返却レバー５６を操作すると、リモコン１０２の操作を直ぐに不可としているが、所定時間（例えば、３０秒間）の間に再操作可能とすることにより、作業員の誤操作によりリモコン１０２の操作を不可とした場合であっても、外扉５０を開放することなく、リモコン１０２の操作に復帰可能となり、作業効率が向上する。
【００５５】
また、第２，第３の実施形態として、外扉５０を閉じてからリモコン１０２の操作に関係なく、所定時間経過すれば、リモコン１０２の操作を不可とするように設定してもよく、この所定時間は、外扉５０を閉じた状態でのリモコン１０２を使用した作業に係る平均時間を予め求めおき、その時間を規準として所定時間を設定すればよい。
【００５６】
さらに、リモコン１０２の操作不可（無効）状態のときに、リモコン１０２が操作されると、警報装置（ブザー）、既存の表示器、自動販売機の照明装置の少なくともひとつの構成を使用した警報表示などを行うことで、悪戯に対して警告を行えることになり、悪戯の抑制となる。
【符号の説明】
【００５７】
１            自動販売機
１０          本体キャビネット
５０          外扉
５０ａ        ドアスイッチ
１００        メインコントロールボックス
１０１        主制御部
１０１ａ      メモリ
１０１ｂ      メモリ
１０１ｃ      タイマ
１０２        リモコン
【図１】
0005906639.tif 000002
【図２】
0005906639.tif 000003
【図３】
0005906639.tif 000004
【図４】
0005906639.tif 000005
【図５】
0005906639.tif 000006
【図６】
0005906639.tif 000007